(57)【特許請求の範囲】
【請求項１】
被処理水の循環水路に、回転羽根で水面をたたく動力式のロータを備え、前記ロータにより被処理水の循環と被処理水へのエアの供給を行いながら前記被処理水を生物学的に浄化するオキシデーションディッチ装置において、前記循環水路の前記ロータ上流側には、前記水路内の流れ方向に両端が開口された複数の筒状部材を並設した消波装置が設けられることを特徴とするオキシデーションディッチ装置。
【発明の詳細な説明】
【０００１】
【発明の属する技術分野】
本発明はオキシデーションディッチ装置に係り、特に下水や産業排水等の処理に使用されるオキシデーションディッチ装置に関する。
【０００２】
【従来の技術】
活性汚泥を利用した有機性排水の処理方法の一つとして、オキシデーションディッチ法が知られている。この方法は、被処理水の循環水路にロータ等の表面曝気装置を設け、この曝気装置によって被処理水の流動とエアレーションを行い、被処理水を浄化処理している。
【０００３】
【発明が解決しようとする課題】
しかしながら、従来装置は、水路の大きさ（長さ、深さ、幅）が、ロータの回転数や取付位置に合わない場合に、ハーモニックウェーブ現象が発生するという欠点がある。ハーモニックウェーブ現象は、水面に生じた様々な波が共鳴してうねり波となり、ロータが水没したり、空転したりする現象であり、この現象が発生すると、ロータの電動機の電流値が急上昇又は急低下し、電気代が増加する。
【０００４】
本発明はこのような事情に鑑みてなされたもので、ハーモニックウェーブを防止することのできるオキシデーションディッチ装置を提供することを目的とする。
【０００５】
【課題を解決する為の手段】
請求項１記載の発明は前記目的を達成するために、被処理水の循環水路に、回転羽根で水面をたたく動力式のロータを備え、前記ロータにより被処理水の循環と被処理水へのエアの供給を行いながら前記被処理水を生物学的に浄化するオキシデーションディッチ装置において、前記循環水路の前記ロータ上流側には、前記水路内の流れ方向に両端が開口された複数の筒状部材を並設した消波装置が設けられることを特徴とする。
【０００８】
請求項１記載の発明によれば、消波装置がうねり波を消波してハーモニックウェーブ現象の発生を防止するので、ロータの消費電力を抑えることができるとともに、被処理水への酸素供給を安定して行うことができる。これにより、オキシデーションディッチ装置のランニングコストを低減しながら、被処理水の浄化を効率よく行うことができる。
【０００９】
【発明の実施の形態】
以下添付図面に従って、本発明に係るオキシデーションディッチ装置の好ましい実施の形態について詳説する。
【００１０】
図１は、本実施の形態のオキシデーションディッチ装置１０の構造を示す斜視図である。
【００１１】
同図に示すように、オキシデーションディッチ装置１０は、循環水路１２、ロータ１４、バッフルプレート１６、及び消波装置１８から構成される。
【００１２】
循環水路１２は、環状のディッチ（水路）であり、平行な２本のストレート部１２Ａ、１２Ａの両端部同士を半円状のコーナー部１２Ｂ、１２Ｂで繋いで形成される。この循環水路１２には、被処理水が貯留され、被処理水と活性汚泥が供給されるとともに、流出口１２Ｃから浄化された被処理水の一部が排水される。また、循環水路１２のコーナー部１２Ｂには、導水壁２０が設けられ、被処理水がスムーズに旋回するように構成されている。
【００１３】
ロータ１４は、循環水路１２のストレート部１２Ａに配設され、被処理水の水面よりも高い位置で、循環水路１２の側壁に回転自在に支持されている。ロータ１４の外周面には、多数の回転羽根２２が設けられており、この回転羽根２２が循環水路１２の被処理水に浸水される。したがって、ロータ１４を回転させると、被処理水が循環水路１２内を矢印２４方向に循環するとともに、被処理水の内部にエアが供給される。なお、ロータ１４の大きさや、回転羽根２２の種類（カゴ型、ブラシ型等）は、被処理水の流入量によって選択される。
【００１４】
バッフルプレート１６は、ロータ１４の下流側に配設され、被処理水の水面部分に所定の角度をもって配設される。したがって、バッフルプレート１６によって下降流が形成され、ロータ１４で酸素供給された被処理水が深層（例えば４．６ｍ）まで送られるので、深層に酸素を供給することができる。
【００１５】
消波装置１８は、ロータ１４の上流側に配設され、図２に示すように、複数のパイプ２６、２６…によって構成され、各パイプ２６の軸が被処理水の流れ方向と平行になるように配設される。複数のパイプ２６、２６…は、図３に示すように、格子状に形成された格子枠２８の各格子部分に挿嵌されている。格子枠２８は、循環水路１２の幅（例えば６ｍ）に合わせて形成され、被処理水の深さよりも高く形成される。また、前記パイプ２６は、図４に示すように、半径ｒが所定のうねり波の振幅Ａの１／２よりも小さく、且つ、その長さＬが所定のうねり波の波長Ｂの１／２よりも長く形成され、例えば、φ３００ｍｍ、長さ１０００ｍｍで形成される。ここで、所定のうねり波とは、ロータ１４が水没したり、空転したりして、ハーモニックウェーブを発生する大きさのうねり波である。
【００１６】
次に上記の如く構成されたオキシデーションディッチ装置１０の作用について説明する。
【００１７】
オキシデーションディッチ装置１０は、例えば、硝化・脱窒処理に使用され、ロータ１４を回転させることによりロータ１４の下流に好気性ゾーンを形成し、ロータ１４から離れた場所（即ち、ロータ１４の上流）に嫌気ゾーンに形成する。これにより、被処理水を、好気ゾーンにおいて活性汚泥中の硝化菌によって硝化し、嫌気ゾーンにおいて脱窒菌によって脱窒することができる。
【００１８】
ところで、オキシデーションディッチ装置１０は、循環水路１２の大きさ（長さ、深さ、幅）がロータ１４の回転数や取付位置と合わない場合、被処理水に生じた様々な波が共鳴してうねり波となる。うねり波が生じると、被処理水の液位が大きく上下動するので、従来装置では、図５（ｂ）に示すようにロータ１４が空転したり、図５（ｃ）に示すようにロータ１４に波がかかったりする。ロータ１４は、回転羽根２２の浸水深さによって酸素供給能力や消費電力が変化し、この酸素供給能力と消費電力の関係から適切な浸水深さ（例えば１５０ｍｍ）が設定されている。したがって、被処理水の液位が上下動して回転羽根２２の浸水深さが大きく変化すると、消費電力が増加するだけでなく、酸素を被処理水中に安定して供給できないという問題が発生する。
【００１９】
これに対し、本実施の形態のオキシデーションディッチ装置１０は、ロータ１４の上流に消波装置１８が配設されている。消波装置１８を構成するパイプ２６は、うねり波の振幅Ａの１／２よりも小さい半径で形成されているので、うねり波は、パイプ２６の内壁に衝突して消波される。また、パイプ２６は、うねり波の波長の１／２よりも長く形成されているので、うねり波がパイプ２６によって消波されずにすり抜けることを確実に防止できる。したがって、消波装置１８によってうねり波を確実に消波できるので、ロータ１４にうねり波が到達せず、ロータ１４は、図５（ａ）に示すように回転羽根２２の浸水深さが正常な状態（例えば５０〜２２０ｍｍ）に維持される。これにより、オキシデーションディッチ装置１０は、ハーモニックウェーブ現象の発生を防止することができ、ロータ１４の消費電力の抑制と被処理水への安定した酸素供給を行うことができる。
【００２０】
また、オキシデーションディッチ装置１０は、パイプ２６が被処理水の流れ方向に配設されているので、うねり波を消波しても被処理水の抵抗が大きく増加することがない。
【００２１】
なお、上述した実施の形態では、消波装置１８として多数のパイプ２６、２６…を設けたがこれに限定するものではなく、例えば、各格子を小さくした格子枠２８だけであってもよい。また、被処理水の流れ方向に多数の孔が形成されたブロックであってもよい。
【００２２】
また、循環水路１２の形状は、上述した実施の形態に限定するものではなく、円型、Ｌ字型、Ｕ字型等であってもよい。
【００２３】
【発明の効果】
以上説明したように、本発明のオキシデーションディッチ装置によれば、ロータの上流に複数の筒状部材が設けられ、この筒状部材でうねり波を消波するので、ロータにうねり波が到達することがなく、ハーモニックウェーブ現象を確実に防止することができる。したがって、ロータの消費電力を抑制することができるとともに、ロータで被処理水に安定して酸素供給することができる。
【図面の簡単な説明】
【図１】本実施の形態に係るオキシデーションディッチ装置の構造を示す斜視図
【図２】図１の消波装置の構造を示す斜視図
【図３】図２のパイプの格子枠を示す斜視図
【図４】図２のパイプの大きさを説明する説明図
【図５】本実施の形態に係るオキシデーションディッチ装置の作用を説明する説明図
【符号の説明】
１０…オキシデーションディッチ装置、１２…循環水路、１４…ロータ、１８…消波装置、２６…パイプ
【図１】
0003915327.tif 000002
【図２】
0003915327.tif 000003
【図３】
0003915327.tif 000004
【図４】
0003915327.tif 000005
【図５】
0003915327.tif 000006